(57)【要約】【課題】払拭コア部分の厚みを変えることがなくて使い勝手が良く、しかも、払拭面を多く使用することができ、高効率的で経済性にも優れた六面使用可能な払拭用具を提供すること。【解決手段】略立方体形状のコア体１１の各表面に払拭部材１２が付設されて形成されるブロックキューブ１と；このブロックキューブ１・１間に配設され、稜角線部同士を連結蝶着するジョイント部材２とを具備して構成される払拭用具であって、折曲軸ａおよび／または中央軸ｂの折り返し組み合わせによって、連結されたブロックキューブ１・１…の各面が合成された複合払拭面を全六面において形成可能にするという技術的手段を採用した。【選択図】  図４
2004222943.tif 000002
【特許請求の範囲】
【請求項１】
略立方体形状のコア体１１の各表面に払拭部材１２が付設されて形成されるブロックキューブ１と；このブロックキューブ１・１間に配設され、稜角線部同士を連結蝶着するジョイント部材２とを具備して構成される払拭用具であって、
前記ブロックキューブ１には、第一連結稜角線部１３ａおよび／または、その対角に位置する平行稜に該当する第二連結稜角線部１３ｂにおいて、別のブロックキューブ１が前記ジョイント部材２で連結されて折曲自在な折曲軸ａが形成されており、こうして連結されたブロックキューブ１・１…における折曲軸ａ・ａ…を反対交互に順次折曲することによって直棒状に折り畳み可能なキューブ連結体Ｃが形成される一方、
相等しい一対のキューブ連結体Ｃ１  ・Ｃ２  を、それぞれ直棒状に折り畳んだ状態において、それぞれの折曲軸ａ１  ・ａ２  が同軸合致するように長手方向側面に添接し、折り畳み連動可能に構成するとともに、
これら両連結体の対向接面の上下何れか一方の稜角線部に沿って、各隣接するブロックキューブ１毎に幅方向に折り返し展開可能となる稜角線部においてジョイント部材２で連結することにより折曲自在な中央軸ｂが形成されており、
前記折曲軸ａおよび／または中央軸ｂの折り返し組み合わせによって、これら連結されたブロックキューブ１・１…の各面が合成された複合払拭面が全六面において形成可能であることを特徴とする六面使用可能な払拭用具。
【請求項２】
ブロックキューブ１の表面に付設された払拭部材１２の少なくとも一つが、合成樹脂繊維不織布であることを特徴とする請求項１記載の六面使用可能な払拭用具。
【請求項３】
ブロックキューブ１の表面に付設された払拭部材１２の少なくとも一つが、スポンジ状吸湿部材であることを特徴とする請求項１または２記載の六面使用可能な払拭用具。
【請求項４】
ブロックキューブ１の表面に付設された払拭部材１２の少なくとも一つが、研磨部材であることを特徴とする請求項１〜３の何れか一つに記載の六面使用可能な払拭用具。
【請求項５】
キューブ連結体Ｃが折り畳んで背板ケース３に収容保持できるように構成したことを特徴とする請求項１〜４の何れか一つに記載の六面使用可能な払拭用具。
【発明の詳細な説明】
【０００１】
【発明の属する技術分野】
本発明は、ホワイトボードイレイザーなどの払拭用具の改良、更に詳しくは、払拭コア部分の厚みを変えることがなくて使い勝手が良く、しかも、払拭面を多く使用することができ、高効率的で経済性にも優れた六面使用可能な払拭用具に関するものである。
【０００２】
【従来の技術】
周知のとおり、ホワイトボードに書き込んだものを拭き払うには、イレイザーなどの払拭用具を使用するが、従来のイレイザーには、拭き払い部分を取り外して交換式に構成したものがある（例えば、特許文献１参照）。
【０００３】
しかしながら、こうした交換式のものは、払拭面が汚れてしまったら直ちにコア部材自体を取り替えねばならないものや、表裏面を入れ換え可能であるものしかなかったため、頻繁に交換する手間が面倒であるうえに、交換コストもかかってしまうという不満があった。
【０００４】
また、例えば、払拭コア部材において、４面分を使用することができる直方体のものや、６面分を使用することができる立方体のものを構成するにしても、払拭面積の確保に応じて、払拭コア部分の厚みが不可避的に大きくなってしまい、サイズが手に馴染まず、使い勝手が悪くなってしまうという不満があった。
【０００５】
【特許文献１】
特開平１１−７８３８３号公報  （第４−５頁、第１−１０図）
【０００６】
【発明が解決しようとする課題】
本発明は、従来のホワイトボードイレイザーなどの払拭用具に上記のような問題があったことに鑑みて為されたものであり、その目的とするところは、払拭コア部分の厚みを変えることがなくて使い勝手が良く、しかも、払拭面を多く使用することができ、高効率的で経済性にも優れた六面使用可能な払拭用具を提供することにある。
【０００７】
【課題を解決するための手段】
本発明者が上記課題を解決するために採用した手段を添付図面を参照して説明すれば次のとおりである。
【０００８】
即ち、本発明は、略立方体形状のコア体１１の各表面に払拭部材１２が付設されて形成されるブロックキューブ１と；このブロックキューブ１・１間に配設され、稜角線部同士を連結蝶着するジョイント部材２とを具備して構成される払拭用具であって、
前記ブロックキューブ１には、第一連結稜角線部１３ａおよび／または、その対角に位置する平行稜に該当する第二連結稜角線部１３ｂにおいて、別のブロックキューブ１が前記ジョイント部材２で連結されて折曲自在な折曲軸ａが形成されており、こうして連結されたブロックキューブ１・１…における折曲軸ａ・ａ…を反対交互に順次折曲することによって直棒状に折り畳み可能なキューブ連結体Ｃが形成される一方、
相等しい一対のキューブ連結体Ｃ１  ・Ｃ２  を、それぞれ直棒状に折り畳んだ状態において、それぞれの折曲軸ａ１  ・ａ２  が同軸合致するように長手方向側面に添接し、折り畳み連動可能に構成するとともに、
これら両連結体の対向接面の上下何れか一方の稜角線部に沿って、各隣接するブロックキューブ１毎に幅方向に折り返し展開可能となる稜角線部においてジョイント部材２で連結することにより折曲自在な中央軸ｂが形成されており、
前記折曲軸ａおよび／または中央軸ｂの折り返し組み合わせによって、これら連結されたブロックキューブ１・１…の各面が合成された複合払拭面を全六面において形成可能にするという技術的手段を採用した。
【０００９】
また、本発明は、上記課題を解決するために、必要に応じて上記手段に加え、ブロックキューブ１の表面に付設された払拭部材１２の少なくとも一つを、合成樹脂繊維不織布にするという技術的手段を採用した。
【００１０】
更にまた、本発明は、上記課題を解決するために、必要に応じて上記手段に加え、ブロックキューブ１の表面に付設された払拭部材１２の少なくとも一つを、スポンジ状吸湿部材にするという技術的手段を採用した。
【００１１】
更にまた、本発明は、上記課題を解決するために、必要に応じて上記手段に加え、ブロックキューブ１の表面に付設された払拭部材１２の少なくとも一つを、研磨部材にするという技術的手段を採用した。
【００１２】
更にまた、本発明は、上記課題を解決するために、必要に応じて上記手段に加え、キューブ連結体Ｃを折り畳んで背板ケース３に収容保持できるように構成するという技術的手段を採用した。
【００１３】
【発明の実施の形態】
本発明の実施形態を具体的に図示した図面に基いて更に詳細に説明すると次のとおりである。
【００１４】
『第１実施形態』
本発明の第１実施形態を図１から図８に基いて説明する。図中、符号１で指示するものはブロックキューブであり、このブロックキューブ１は略立方体形状のコア体１１（本実施形態では、硬質ウレタンフォーム、１辺約３０ｍｍ）の各表面に払拭部材１２（本実施形態では、ポリエステル不織布、厚さ約２ｍｍ）が付設されて形成されている。
【００１５】
また、符号２で指示するものはジョイント部材であり、このジョイント部材２は前記ブロックキューブ１・１間に配設され、稜角線部同士を連結蝶着する。本実施形態ではプラスチック製フィルムテープを採用する。
【００１６】
しかして、本実施形態における払拭用具の構成および払拭コア部分の組立手順について以下に説明する。
【００１７】
まず、図１に示すようなブロックキューブ１には、第一連結稜角線部１３ａおよび／または、その対角に位置する平行稜に該当する第二連結稜角線部１３ｂにおいて、別のブロックキューブ１が前記ジョイント部材２で連結されて折曲自在な折曲軸ａが形成されており（図２参照）、こうして連結されたブロックキューブ１・１…（本実施形態では３個）における折曲軸ａ・ａ…を、図２中の矢印のように反対交互に順次折曲することによって直棒状に折り畳み可能なキューブ連結体Ｃが形成される（図３（ｉ）および（ｉｉ）参照）。
【００１８】
この際、ブロックキューブ１は、イ面およびニ面、ロ面およびホ面、ハ面およびヘ面がそれぞれ表裏関係になるように構成されている。なお、図中、各面には山型記号を付して面方向を示している。
【００１９】
次に、図４に示すように、相等しい一対のキューブ連結体Ｃ１  ・Ｃ２  を、それぞれ直棒状に折り畳んだ状態において、それぞれの折曲軸ａ１  ・ａ２  が同軸合致するように長手方向側面に添接し、折り畳み連動可能に構成する。
【００２０】
また、これら両連結体の対向接面の上下何れか一方の稜角線部に沿って、各隣接するブロックキューブ１毎に幅方向に折り返し展開可能となる稜角線部においてジョイント部材２で連結して、折曲自在な中央軸ｂが形成されている。
【００２１】
そして、図５に示すように、両キューブ連結体Ｃ１  ・Ｃ２  を一様に揃え、当該中央軸ｂにおいて幅方向に折り返すことによって、イ面（が６個で作成される複合払拭面、以下、ロ〜ヘ面についても同じ）およびニ面が表裏交換可能になる配列と、ハ面およびホ面が表裏交換可能になる配列とを形成することができる。
【００２２】
また、図６に示すように、連結体Ｃ１  ・Ｃ２  を、それぞれ直棒状に折り畳んだ状態において、それぞれの折曲軸ａ１  ・ａ２  が同軸合致するように長手方向側面に添接し、当該折曲軸ａ１  ・ａ２  を一様に揃えて折り返すことによって、ロ面およびホ面が表裏交換可能になる配列を形成することができる。
【００２３】
このようにして、前記折曲軸ａおよび／または中央軸ｂの折り返し組み合わせによって、これら連結されたブロックキューブ１・１…の各面が合成された複合払拭面が全六面において形成可能である。
【００２４】
なお、本実施形態では、ブロックキューブ１の表面に付設された払拭部材１２の少なくとも一つを、合成樹脂繊維（ポリエステル）不織布で構成しているが、スポンジ状吸湿部材にすることもできる。また、図７に示すように起毛ブラシにすることもできるし、図示しないが、サンドペーパーなどの研磨部材にすることができ、各面毎に異なる払拭部材１２を付設することにより多用途に構成することができる。
【００２５】
また、図８に示すように、キューブ連結体Ｃが折り畳んで背板ケース３に収容保持できるように構成することができる。
【００２６】
『第２実施形態』
次に、本発明の第２実施形態を図９から図１１に基いて説明する。本実施形態では、ブロックキューブ１を４個用いて連結体Ｃを形成し（図９参照）、相等しい一対のキューブ連結体Ｃ１  ・Ｃ２  を、それぞれ図１０に示すような直棒状に折り畳んだ状態において、それぞれの折曲軸ａ１  ・ａ２  が同軸合致するように長手方向側面に添接し、折り畳み連動可能に構成している。
【００２７】
また、同様にして、これら両連結体の対向接面の上下何れか一方の稜角線部に沿って、各隣接するブロックキューブ１毎に幅方向に折り返し展開可能となる稜角線部においてジョイント部材２で連結して、折曲自在な中央軸ｂが形成されている（図１１参照）。
【００２８】
そして、第１実施形態と同様の折り返し手順を用いることによって、本実施形態のようにブロックキューブ１を合計８個用いてキューブ連結体Ｃを形成した場合においても、払拭用具のコア部材の６面の全面を使用することができるのである。
【００２９】
本発明は概ね上記のように構成されるが、本発明は図示の実施形態に限定されるものでは決してなく、「特許請求の範囲」の記載内において種々の変更が可能であって、例えば、ブロックキューブ１をいくつ用いてキューブ連結体Ｃを形成しても、上記実施形態同様の折り返し手順を用いることによって全六面を使用することができる。また、ブロックキューブ１の払拭部材１２はブラシやくしなどに変更することができ、多用途な払拭用具を構成することができる。
【００３０】
また、ジョイント部材２は折曲自在に連結できるものであれば、別材料のものを採用しても良く、更にまた、キューブ連結体Ｃを折り畳んで背板ケース３に収容保持できるように構成するものに限らず、輪ゴム状のものなどで留めておくことも可能であって、何れのものも本発明の技術的範囲に属する。
【００３１】
【発明の効果】
以上、実施形態をもって説明したとおり、本発明においては、ブロックキューブを連結して形成したのでバラバラに分解されることがなく、また、厚みがブロックキューブ１個の一稜線の辺長のままで態様を変化させることができるので、必要に応じて払拭面積を増加しても、非常に使い勝手が良い。
【００３２】
また、払拭コア部分を六面使用できるので、非常に高効率的であり、交換回数が少なくて済み、経済的にも優れていることから、実用的利用価値は頗る高いと云える。
【図面の簡単な説明】
【図１】本発明の第１実施形態のブロックキューブを表わす斜視図である。
【図２】本発明の第１実施形態の片側のキューブ連結体を表わす斜視図である。
【図３】本発明の第１実施形態の片側のキューブ連結体を直棒状に折り畳んだ状態を表わす斜視図である。
【図４】本発明の第１実施形態のキューブ連結体を表わす斜視図である。
【図５】本発明の第１実施形態のキューブ連結体の組立例を表わす斜視図である。
【図６】本発明の第１実施形態のキューブ連結体の組立例を表わす斜視図である。
【図７】本発明の第１実施形態の変形例を表わす斜視図である。
【図８】本発明の第１実施形態品を折り畳んで背板ケースに収容保持した状態を表わす斜視図である。
【図９】本発明の第２実施形態の片側のキューブ連結体を表わす斜視図である。
【図１０】本発明の第２実施形態の片側のキューブ連結体を直棒状に折り畳んだ状態を表わす斜視図である。
【図１１】本発明の第２実施形態のキューブ連結体を表わす斜視図である。
【符号の説明】
１    ブロックキューブ
１１  コア体
１２  払拭部材
１３（１３ａ，１３ｂ）  第一、第二連結稜角線部
２    ジョイント部材
３    背板ケース
Ｃ（Ｃ１  ，Ｃ２  ）    キューブ連結体
ａ（ａ１  ，ａ２  ）  折曲軸
ｂ  中央軸
【図１】
2004222943.tif 000003
【図２】
2004222943.tif 000004
【図３】
2004222943.tif 000005
【図４】
2004222943.tif 000006
【図５】
2004222943.tif 000007
【図６】
2004222943.tif 000008
【図７】
2004222943.tif 000009
【図８】
2004222943.tif 000010
【図９】
2004222943.tif 000011
【図１０】
2004222943.tif 000012
【図１１】
2004222943.tif 000013